(57)【要約】【課題】１冊のファイルで、複数の区分された書類等を独立して綴込むことを可能にし、ファイルを開いた瞬間に綴られている書類等を確認でき、加除等の作業性を損なわずにコンパクトな状態で保管ができ、省資源化及び低コスト化を図る。【解決手段】１つの背表紙に複数の綴じ具を重ねて装着する方法でなく、図１の通り、表表紙、背表紙、裏表紙、背表紙、裏表紙と複数連設していて、背表紙の部分に独立した綴じ具を装着し、表表紙及び裏表紙を幾重にも折り畳みすることができる複数綴じ折り畳み式ファイルである。多様な綴じ方に対応するため裏表紙に綴じ具装着用の穴又は穴明け用の切込みを備え若しくは独立した別の綴じ具を装着している。背表紙の幅は綴込む書類等の量や折り畳みの回数等により変化するので背表紙部分に折れ目加工を設けてある。本発明のファイルは折り畳めることから保管時にはコンパクトで、フラットファイル数冊分の書類等を１冊で綴じ込むことができるので省資源化及び低コスト化が可能となり、更に多様な綴じ方に対応できるファイルを提供することができる。【特許請求の範囲】
【請求項１】
表表紙、背表紙、裏表紙、背表紙、裏表紙と複数連設していて、背表紙の部分に独立した綴じ具を装着し、表表紙及び裏表紙を幾重にも折り畳みすることができる複数綴じ折り畳み式ファイル。
【請求項２】
表表紙、背表紙、裏表紙、背表紙、裏表紙と複数連設していて、背表紙の部分に独立した綴じ具を装着し、表表紙及び裏表紙を幾重にも折り畳みすることができる複数綴じ折り畳み式ファイルの裏表紙に、綴じ具装着用の穴又は穴明け用の切込みを備えたファイル。
【請求項３】
表表紙、背表紙、裏表紙、背表紙、裏表紙と複数連設していて、背表紙の部分に独立した綴じ具を装着し、表表紙及び裏表紙を幾重にも折り畳みすることができる複数綴じ折り畳み式ファイルの裏表紙にも綴じ具を装着したファイル。
【請求項４】
前記背表紙に、表表紙と裏表紙との間で折れ幅を調整することができる複数の折れ目を設けた請求項１乃至３のいずれか記載の複数綴じ折畳み式ファイル。
【発明の詳細な説明】
【０００１】
【発明の属する技術分野】
本発明は、表紙体とその表紙体に装着されて書類等を保持する綴じ具とからなるファイルに関するものである。尚、表紙体は表表紙、裏表紙、背表紙等で構成されている。
【０００２】
【従来の技術】
従来のファイルは、表表紙裏表紙の間の背表紙部分に綴じ具が装着されている。１個の綴じ具に数種類の書類を区分して綴込む場合はインデックス等で見出しを付け保管場所を明示していた。しかし、綴る書類の数量が増えてくると次第に煩雑となる。また、綴じ具が書類等の面方向に複数装着されているファイルでも表表紙と裏表紙はそれぞれ１葉で構成されており、綴じられた書類は連続して重ねられた状態となり、下部の綴じ具に綴じられた書類等はその部分を開かなければ確認できなく加除等も煩雑であった。
【０００３】
例えば特許公開公報「特開２０００−１４１９６５」には、複数の綴じ具を備えたファイルが開示されているが、綴じ具を背表紙部分で複数連続させ、綴じ具毎に区分して綴込む方式であった。
【特許文献】
特開２００１−２２５５８０  公開日  平成１３年８月２１日
特開２００２−２５４８７１  公開日  平成１４年９月１１日
【０００４】
【発明が解決しようとする課題】
しかしながら、従来のファイルではそれぞれの綴じ具に区分して綴込んでもファイルを開けたときはその中の１面のみが最上位であった。従って、必要な書類が下部にある場合はインデックス等を利用しながら選び出さなければならなく、加除等も煩雑であった。
【０００５】
本発明は、このような従来の問題を解決しようとするもので、それぞれの綴じ具に区分した書類を綴込むと、ファイルを開けた時複数に区分したそれぞれの書類の１面は必ず最上位となり一目瞭然となり、書類等の加除も行ない易いファイルを提供することができる。
【０００６】
【課題を解決するための手段】
本発明は、１つの背表紙に複数の綴じ具を重ねて装着する方法でなく、図１の通り表表紙、背表紙、裏表紙、背表紙、裏表紙を複数連設させて、表表紙及び裏表紙を幾重にも折り畳みすることができ、それぞれの背表紙部分には１カ所ずつ独立した綴じ具を装着している。更に、裏表紙に独立した綴じ具を装着するための穴又は穴を明けるための切込み若しくは綴じ具を装着している。穴明け用の切込みは全周とせず一部を残した状態とする。更に、背表紙の幅は綴込む書類等の量や表表紙及び裏表紙の折り畳み回数等により変化するので、背表紙の幅を自在に調整できるように背表紙部分に複数の折れ目を設けている。上記の通り、多様な綴じ方に対応できて折り畳み式であるので保管時にはコンパクトとなり使い易くなるファイルを提供する。
【０００７】
【発明の実施の形態】
以下、図を用いて本発明の実施の形態について説明する。図１は、表表紙、背表紙、裏表紙、背表紙、裏表紙を複数連設させて、それぞれの背表紙部分に１カ所ずつ独立した綴じ具を装着していて表表紙及び裏表紙を幾重にも折り畳みすることができる複数綴じ折畳み式ファイルの斜視図であり手順の番号順に折り畳むことができる。図２は、３連設の複数綴じ折畳み式ファイルの裏表紙に綴じ具装着用の穴又は穴明け用の切込みを備えたファイルの斜視図であり手順の番号順に折り畳むことができる。図３は、３連設の複数綴じ折畳み式ファイルの裏表紙にも綴じ具を装着したファイルの斜視図であり手順の番号順に折り畳むことができる。図４は、２連設の複数綴じ折畳み式ファイルで、裏表紙に綴じ具装着のための穴明け用の切込みを備えたファイルの斜視図であり手順の番号順に折り畳むことができる。
【０００８】
書類等を綴った後の加除等は、フラットファイルと同様に使い易く、保管時にはそれぞれの図の手順の通り折り畳みすることが可能であるので、数冊分を１冊にまとめたコンパクトな状態で保管ができる。
【０００９】
【図２】は、３連設の複数綴じ折畳み式ファイルで裏表紙に綴じ具装着のための穴の切込みを備えたファイルである。上記同様に折り畳み手順を示している。
【図３】は、３連設の複数綴じ折畳み式ファイルの表表紙に綴じ具を装着したファイルで、図２とは折り畳み方が違う手順を示している。
【００１０】
【図４】は、２連設の複数綴じ折畳み式ファイルで裏表紙に綴じ具装着のための穴を備えたファイルである。上記同様に折り畳み手順を示している。
【００１１】
【図５】は、綴じ具が３個装着されたファイルを折り畳んだときの断面図である。
【図６】は、綴じ具が２個装着されたファイルを折り畳んだときの断面図である。
【００１２】
【図７】は、裏表紙に綴じ具装着のための穴の切込みを設けた時の図である。
【００１３】
【発明の効果】
本発明のファイルは上記の通りであり、ファイルを開けた瞬間に、それぞれの綴じ具に綴られた書類等の１面は最上位となり一目で確認できるので、目的の書類等の加除作業が行ない易くなる。また、折り幅の調整ができる背表紙部分には独立した綴じ具が装着されているが、他の綴じ形態に対応するため裏表紙にも綴じ具の装着用の穴又は装着用穴の切込みを設け若しくは別の綴じ具を装着している。従来の標準的なフラットファイル数冊分を本発明の複数綴じ折畳み式ファイル１冊で一括に整理・保管ができるので省資源化及び低コスト化が可能となり、更に多様な綴じ形態に対応できる画期的なファイルといえる。
【００１４】
【図面の簡単な説明】
【図１】複数綴じ折畳み式ファイルの斜視図である。
【図２】３連設の複数綴じ折畳み式ファイルで裏表紙に綴じ具装着のための穴の切込みを備えたファイルの斜視図である。
【図３】３連設の複数綴じ折畳み式ファイルの裏表紙に綴じ具を装着したファイルであるが、図２とは折り畳み方が違う斜視図である。
【図４】２連設の複数綴じ折畳み式ファイルで裏表紙に綴じ具装着のための穴を備えたファイルの斜視図である。
【図５】図２の複数綴じ折畳み式ファイルを折り畳んだ時の断面図である。
【図６】図４の複数綴じ折畳み式ファイルを折り畳んだ時の断面図である。
【図７】裏表紙に綴じ具装着のための穴の切込みを設けた時の図である。
【符号の説明】
０  表紙体
１  表表紙
２  裏表紙
３  背表紙
４  綴じ具
５  折れ目
６  書類等
７  裏表紙の綴じ具装着用穴の切込み
８  裏表紙に装着した綴じ具
９  裏表紙の綴じ具装着用穴
手順１  折り畳みの作業手順１番
手順２  折り畳みの作業手順２番
手順３  折り畳みの作業手順３番
手順４  折り畳みの作業手順４番
【図１】
2004181922.tif 000002
【図２】
2004181922.tif 000003
【図３】
2004181922.tif 000004
【図４】
2004181922.tif 000005
【図５】
2004181922.tif 000006
【図６】
2004181922.tif 000007
【図７】
2004181922.tif 000008